(57)【要約】  【課題】立体交差陸橋において、土盛りとその両側の側壁とからなるアプローチ部を採用する場合は工期が長く工事費も高価になり、側道部分も工事に使用するため車線規制が必要で交通渋滞を招く。道路床版と橋脚とからなるアプローチ部を採用する場合は、橋脚の基礎構造が大型化し、その工期も長く工事費も高価になる。  【解決手段】立体交差陸橋のアプローチ部構造３は、道路軸方向に連続的に延びる鉄筋コンクリート製の１対の脚壁構造６と、これら脚壁構造６の上に設ける道路床版構造８とを有する。道路床版構造８は、道路軸方向に所定長さの複数のプレキャスト床版１０と、道路軸方向に並ぶ複数のプレキャスト床版１０を連結する連結手段１１と、プレキャスト床版１０を脚壁構造６の上端部に位置決めし且つ連結するアンカー部材１２とを有する。【選択図】  図３
2006009348.tif 000002
【特許請求の範囲】
【請求項１】
立体交差陸橋のアプローチ部構造において、
前記アプローチ部構造は、道路幅方向に所定間隔あけて配置され道路軸方向に連続的に延びる鉄筋コンクリート製の１対の脚壁構造と、これら脚壁構造の上に設けるプレストレストコンクリート製の道路床版構造とを有し、
前記道路床版構造は、道路軸方向に所定長さの複数のプレキャスト床版と、道路軸方向に並ぶ複数のプレキャスト床版を連結する連結手段と、
前記プレキャスト床版を脚壁構造の上端部に位置決めし且つ連結するアンカー部材と、  を有することを特徴とする立体交差陸橋のアプローチ部構造。
【請求項２】
道路軸方向に隣接するプレキャスト床版同士が結合される結合端部には、剪断キーとして機能する嵌合部と被嵌合部を設けたことを特徴とする請求項１に記載の立体交差陸橋のアプローチ部構造。
【請求項３】
前記プレキャスト床版の下面側部位には、脚壁構造の上端部が嵌合する凹溝状の嵌合部が形成されたことを特徴とする請求項１又は２に記載の立体交差陸橋のアプローチ部構造。
【請求項４】
前記連結手段は、道路軸方向に連続的に並ぶ複数のプレキャスト床版を連結する複数のＰＣ鋼線を有することを特徴とする請求項１〜３の何れかに記載の立体交差陸橋のアプローチ部構造。
【請求項５】
前記連結手段は、道路軸方向に隣接するプレキャスト床版を連結する複数組のボルト連結部を有することを特徴とする請求項１〜３の何れかに記載の立体交差陸橋のアプローチ部構造。
【請求項６】
立体交差陸橋のアプローチ部構造を架設する工法において、
道路幅方向に所定間隔あけて配置され道路軸方向に連続的に延びる鉄筋コンクリート製の１対の脚壁構造を架設する第１工程と、
これら脚壁構造の上端にプレストレストコンクリート製の道路軸方向に所定長さの複数のプレキャスト床版を搭載して位置決めする第２工程と、
道路軸方向に並ぶ複数のプレキャスト床版を連結手段により連結する第３工程と、
を有することを特徴とする立体交差陸橋のアプローチ部構造の架設工法。
【請求項７】
前記連結手段は、道路軸方向に連続的に並ぶ複数のプレキャスト床版を連結する複数のＰＣ鋼線を有することを特徴とする請求項６に記載の立体交差陸橋のアプローチ部構造の架設工法。
【発明の詳細な説明】
【技術分野】
【０００１】
本発明は、立体交差陸橋のアプローチ部構造およびその架設工法に関し、特に鉄筋コンクリート製のプレキャスト床版を採用して立体交差陸橋を急速施工可能にした技術に関するものである。
【背景技術】
【０００２】
近年、道路の交通渋滞を解消し、道路の使用効率を高めるために、交差点や踏み切りの立体交差化が推進されている。立体交差化する技術としては、交差する一方の道路を掘り下げて立体交差化する技術と、交差する一方の道路に立体交差陸橋を架設することである。前記のように道路を掘り下げて立体交差化することで、周辺環境に与える影響や安全性等の面から問題がある場合は、立体交差陸橋を架設する技術が採用される。
【０００３】
一般的な立体交差陸橋は、道路を跨ぐ中央径間構造と、その両側に連なる傾斜状の側径間部およびアプローチ区間とで構成される。前記の中央径間構造は、鋼製橋桁構造又はコンクリート構造で構成され、傾斜状の側径間部も、鋼製の橋構造又はコンクリート構造で構成される。前記アプローチ区間は、盛土と、コンクリート製側壁と、コンクリートとアスファルト製の道路床版構造で構成される。
【０００４】
本願の出願人は、特許文献１に示すように、プレストレストコンクリート製のプレキャスト床版を提案した。このプレキャスト床版は、道路軸方向に所定長さを有する道路床版ブロック（道路床版セグメント）であって工場において型枠を用いて所定の形状に量産される道路床版ブロックである。
このプレキャスト床版は、縦横に配置される鉄筋と、道路幅方向に配設された複数のＰＣ鋼線と、道路軸方向の両端部に形成され且つプレキャスト床版とボルト連結する為のボルト連結部とを有するものである。
【０００５】
このプレキャスト床版を採用して道路床版を構築する場合、鋼製の桁部材を道路幅方向適当間隔あけて２列に構築し、それら鋼製の桁部材上にプレキャスト床版を順次搭載して位置決めしてから、ボルト連結部において、隣接するプレキャスト床版同士を連結することにより、短期間の工期で、道路床版構造を構築することできる。
【特許文献１】特開平８−２４６４１５号公報
【発明の開示】
【発明が解決しようとする課題】
【０００６】
立体交差陸橋のアプローチ部構造として、従来のような、盛土と鉄筋コンクリート製の１対の側壁と道路床版構造とからなる構造を採用する場合には、先ず、１対の鉄筋コンクリート製の側壁を構築し、その後多量の土を１対の側壁の間に搬入して締め固めながら盛土を構築し、上層路盤を締め固め、その上にアスファルト舗装を行うという順序でアプローチ部構造を作ることになる。この場合、工期が長くなり、工事費が高価になるうえ、アプローチ部構造の両側の側道部分にも工事用車両が出入りする関係上、側道部分の車線規制が必要となり、施工時の交通の渋滞が深刻化するという問題がある。
【０００７】
前記の特許文献１に記載のプレキャスト床版は道路軸方向と平行な２列の鋼製の桁部材の上にプレキャスト床版を搭載する構造であるが、この構造では、鋼製の桁部材を支持する鋼製又は鉄筋コンクリート製の橋脚、この橋脚の為の基礎構造等を構築する工期が長くなり、工事費も高価になるという問題がある。
【０００８】
特許文献１には、プレキャスト床版を鋼製の桁部材に対して位置決めしたり位置規制する為の構造について何ら提案されていない。
【０００９】
本発明の目的は、鉄筋コンクリート製の１対の脚壁構造とプレキャスト床版を採用し著しく短い工期で急速に施工可能な立体交差陸橋のアプローチ部構造を提供すること、１対の脚壁構造に対してプレキャスト床版を位置規制して固定可能な立体交差陸橋のアプローチ部構造を提供すること、上記のような立体交差陸橋のアプローチ部構造の架設工法を提供すること、などである。
【課題を解決するための手段】
【００１０】
請求項１の立体交差陸橋のアプローチ部構造は、立体交差陸橋のアプローチ部構造において、前記アプローチ部構造は、道路幅方向に所定間隔あけて配置され道路軸方向に連続的に延びる鉄筋コンクリート製の１対の脚壁構造と、これら脚壁構造の上に設けるプレストレストコンクリート製の道路床版構造とを有し、前記道路床版構造は、道路軸方向に所定長さの複数のプレキャスト床版と、道路軸方向に並ぶ複数のプレキャスト床版を連結する連結手段と、前記プレキャスト床版を脚壁構造の上端部に位置決めし且つ連結するアンカー部材とを有することを特徴とするものである。
【００１１】
この立体交差陸橋のアプローチ部構造を架設する場合、最初に、工場において、鉄筋コンクリート製の１対の脚壁構造の複数の分割ブロックをプレキャスト方式で製作すると共に、プレストレストコンクリート製の複数のプレキャスト床版を製作する。次に、複数の分割ブロックと複数のプレキャスト床版を現地に搬送し、１対の脚壁構造を基礎の上に立設してボルト締結にて固定し、それら１対の脚壁構造の上に複数のプレキャスト床版を順次搭載し、アンカー部材によりプレキャスト床版を脚壁構造の上端部に位置決めし且つ連結すると共に、道路軸方向に並ぶ複数のプレキャスト床版を連結手段により連結する。
【００１２】
前記１対の脚壁構造の道路幅方向の離間距離は、例えば道路幅の約２／３程度とするのが望ましく、その場合、１対の脚壁構造の架設の際、側道部分を殆ど車線規制することなく、架設することができる。１対の脚壁構造は、道路軸方向に連続するものであるので、基礎構造にかかる荷重を分散できるから、柱状の橋脚の場合の基礎構造と比較して簡単な基礎構造を設けるだけでよく、基礎工事の工期も非常に短くなる。しかも、複数のプレキャスト床版は、クレーン車やフォークリフトにより能率的に設置することができるから、道路床版構造の架設のため工期も非常に短くなる。
【００１３】
請求項２の立体交差陸橋のアプローチ部構造は、請求項１の発明において、道路軸方向に隣接するプレキャスト床版同士が結合される結合端部には、剪断キーとして機能する嵌合部と被嵌合部を設けたことを特徴とする。
請求項３の立体交差陸橋のアプローチ部構造は、請求項１又は２の発明において、前記プレキャスト床版の下面側部位には、脚壁構造の上端部が嵌合する凹溝状の嵌合部が形成されたことを特徴とする。
【００１４】
請求項４の立体交差陸橋のアプローチ部構造は、請求項１〜３の何れかの発明において、前記連結手段は、道路軸方向に連続的に並ぶ複数のプレキャスト床版を連結する複数のＰＣ鋼線を有することを特徴とする。
請求項５の立体交差陸橋のアプローチ部構造は、請求項１〜３の何れかの発明において、前記連結手段は、道路軸方向に隣接するプレキャスト床版を連結する複数組のボルト連結部を有することを特徴とする。
【００１５】
請求項６の立体交差陸橋のアプローチ部構造の架設工法は、立体交差陸橋のアプローチ部構造を架設する工法において、道路幅方向に所定間隔あけて配置され道路軸方向に連続的に延びる鉄筋コンクリート製の１対の脚壁構造を架設する第１工程と、これら脚壁構造の上端にプレストレストコンクリート製の道路軸方向に所定長さの複数のプレキャスト床版を搭載して位置決めする第２工程と、道路軸方向に並ぶ複数のプレキャスト床版を連結手段により連結する第３工程とを有することを特徴とするものである。
【００１６】
第１工程において、道路幅方向に所定間隔あけて配置され道路軸方向に連続的に延びる鉄筋コンクリート製の１対の脚壁構造を架設する。第２工程において、これら脚壁構造の上端に鉄筋コンクリート製の道路軸方向に所定長さの複数のプレキャスト床版を搭載して位置決めする。第３工程において、道路軸方向に並ぶ複数のプレキャスト床版を連結手段により連結する。
【００１７】
請求項７の立体交差陸橋のアプローチ部構造の架設工法は、請求項６の発明において、前記連結手段は、道路軸方向に連続的に並ぶ複数のプレキャスト床版を連結する複数のＰＣ鋼線を有することを特徴とするものである。
【発明の効果】
【００１８】
請求項１の発明（立体交差陸橋のアプローチ部構造）によれば、道路床版構造を支持する構造として鉄筋コンクリート製の１対の脚壁構造を採用しており、道路軸方向に連続して支持面積が大きいため、基礎構造を簡単化することでき、基礎構造の為の工期を短縮し、工事費も低減できる。特に、１対の脚壁構造を工場においてプレキャスト方式で分割ブロックに製作する場合には、１対の脚壁構造を架設する工期を一層短縮できる。
【００１９】
道路床版構造を工場において製作可能な複数のプレキャスト床版で構成し、それら複数のプレキャスト床版を、１対の脚壁構造の上に搭載し、アンカー部材により脚壁構造の上端部に位置決めして連結し、道路軸方向に並ぶ複数のプレキャスト床版を連結手段により連結できるので、道路床版構造を架設する工期も著しく短縮し、急速に架設することでき、工事費も低減できる。アプローチ部構造の施工のために交通渋滞を招くことも少なく、能率的に経済的にアプローチ部構造を施工することができる。
【００２０】
請求項２の発明によれば、道路軸方向に隣接するプレキャスト床版同士が結合される結合端部には、剪断キーとして機能する嵌合部と被嵌合部を設けたので、嵌合部と被嵌合部との嵌合を介して、道路軸方向に隣接するプレキャスト床版の境界部に段差が生じるのを防止でき、複数のプレキャスト床版の一体性を高めることができる。
【００２１】
請求項３の発明によれば、前記プレキャスト床版の下面側部位には、脚壁構造の上端部が嵌合する凹溝状の嵌合部が形成されたので、プレキャスト床版の下面側部位の嵌合部に脚壁構造の上端部を嵌合させることで、脚壁構造に対してプレキャスト床版を位置規制することができ、地震発生時などにおける信頼性を高めることができる。
【００２２】
請求項４の発明によれば、前記連結手段は、道路軸方向に連続的に並ぶ複数のプレキャスト床版を連結する複数のＰＣ鋼線を有するため、道路軸方向に連続的に並ぶ複数のプレキャスト床版を強固に連結することができ、複数のプレキャスト床版の一体性を高めることができる。
【００２３】
請求項５の発明によれば、前記連結手段は、道路軸方向に隣接するプレキャスト床版を連結する複数組のボルト連結部を有するため、道路軸方向に隣接するプレキャスト床版をボルト締結を介して簡単に連結することができる。
【００２４】
請求項６の発明（立体交差陸橋のアプローチ部構造の架設工法）によれば、基本的に請求項１と同様の効果がえられる。
請求項７の発明によれば、前記連結手段は、道路軸方向に連続的に並ぶ複数のプレキャスト床版を連結する複数のＰＣ鋼線を有するため、複数のＰＣ鋼線により、道路軸方向に連続的に並ぶ複数のプレキャスト床版を簡単に強固に連結することができる。
【発明を実施するための最良の形態】
【００２５】
本発明の立体交差陸橋のアプローチ部構造は、道路幅方向に所定間隔あけて配置され道路軸方向に連続的に延びる鉄筋コンクリート製の１対の脚壁構造と、これら脚壁構造の上に設けるプレストレストコンクリート製の道路床版構造とを有し、前記道路床版構造は、道路軸方向に所定長さの複数のプレキャスト床版と、道路軸方向に並ぶ複数のプレキャスト床版を連結する連結手段と、前記プレキャスト床版を脚壁構造の上端部に位置決めし且つ連結するアンカー部材とを有することを特徴とするものである。
【００２６】
本発明の立体交差陸橋のアプローチ部構造の架設工法は、道路幅方向に所定間隔あけて配置され道路軸方向に連続的に延びる鉄筋コンクリート製の１対の脚壁構造を架設する第１工程と、これら脚壁構造の上端に鉄筋コンクリート製の道路軸方向に所定長さの複数のプレキャスト床版を搭載して位置決めする第２工程と、道路軸方向に並ぶ複数のプレキャスト床版を連結手段により連結する第３工程とを有することを特徴とするものである。
【実施例１】
【００２７】
以下、実施例に係る立体交差陸橋について図面に基づいて説明する。
図１に示すように、立体交差陸橋１は、複数の道路が交差する交差点において、一方の道路を跨ぐ状態に構築される陸橋のことである。この立体交差陸橋１は、中央径間部と側径間部とを含む横断橋２と、この横断橋２の両側に連なる１対の傾斜状のアプローチ部構造３とで構成されている。
【００２８】
前記横断橋２は例えば鋼製のもので、道路床版を備えた橋桁本体４と、両側の橋脚５と基礎構造とを有し、橋桁本体４と、 １対の橋脚５は、 工場において陸送可能な適当なサイズと重量のブロックに分割した形態で製作され、トレーラーにより現地に搬送して、基礎構造の上に橋脚５を立設し、 それら１対の橋脚５に橋桁本体４を搭載し、必要複数の連結箇所をボルト連結することで架設される。但し、以上の横断橋２の構造は一例であり、短い工期（例えば、基礎工事を含めて２，３週間）で架設可能な構造であればよく、前記の構造に限定されるものではない。
【００２９】
図１〜図３に示すように、アプローチ部構造３は、鉄筋コンクリート製の１対（２列）の脚壁構造６と、これら１対の脚壁構造６の基礎となる１対（２列）の基礎構造７と、プレストレストコンクリート製の道路床版構造８と、道路床版構造８の道路幅方向の両端部に立設された１対の鉄筋コンクリート製のプレキャスト壁高欄９とを有する。
【００３０】
１対の脚壁構造６は、道路幅方向に所定間隔（例えば、道路幅の約２／３）あけて配置され道路軸方向に連続的に延びる鉛直壁である。脚壁構造６は、道路軸方向に適当間隔（例えば、３ｍ）おきに複数に分割された分割脚壁の形態に工場でプレキャスト方式で製作され、トレーラーにより現地に陸送される。
前記基礎構造７は、アプローチ部構造３を架設する現地の路面下部に構築される鉄筋コンクリート製の基礎であるが、脚壁構造６が道路軸方向に連続しており、脚壁構造６から基礎構造７に作用する荷重も分散されるため、通常の柱状の橋脚の為の基礎構造に比較して非常に簡単な構造で幅および深さの小さな基礎構造である。
【００３１】
例えば、基礎構造７の上端には複数のアンカーボルトが植設されたアンカープレートが設けられ、脚壁構造６の下端には、その内部の鉄筋に溶接されたベースプレートが設けられ、脚壁構造６の分割脚壁を基礎構造７上に搭載し、複数のアンカーボルトにて締結することにより、脚壁構造６が構築される。尚、分割脚壁と分割脚壁とが隣接する連結部においては、両方の分割脚壁に嵌入される複数の水平なピン部材を採用してもよく、両方の分割脚壁に亙る連結板を溶接接合したりボルト締結したりして連結してもよく、それぞれ凹凸状の嵌合部により連結してもよく、その他の連結構造を採用してもよい。
【００３２】
道路床版構造８は２列の脚壁構造６の上に搭載して固定され、道路床版構造８の上面にはアスファルト舗装された路面が形成される。道路床版構造８は、道路軸方向に所定長さ（例えば、３ｍ）の複数のプレキャスト床版１０と、道路軸方向に並ぶ複数のプレキャスト床版１０を連結する連結手段１１と、プレキャスト床版を脚壁構造６の上端部に位置決めし且つ連結するアンカー部材１２などを有する。
【００３３】
最初に、鉄筋コンクリート製のプレキャスト床版１０について説明する。
このプレキャスト床版１０は、図示していないが内部に、鉄筋の他に、道路幅方向に延びるように配設された複数のＰＣ鋼線（プレストレスコンクリート鋼線）が設けられ、強度を高め軽量を図った構造のものである。
図２〜図４に示すように、プレキャスト床版１０の下面側には、１対の脚壁構造６の上端部が嵌合する１対の凹溝状の嵌合部１３が形成され、各嵌合部１３はその両側のほぼ台形状の厚肉部１４を介して形成され、各嵌合部１３の両側の厚肉部１４には、ＰＣ鋼線１５を挿入する金属製又は合成樹脂製のパイプ１５ａが道路軸方向に延びるように配設されている。
【００３４】
図２〜図４に示すように、プレキャスト床版１０の道路軸方向の中間部には、アンカー部材１２を挿入する位置決め穴１６が予め形成されており、脚壁構造６の上端部には、位置決め穴１６に対応するアンカー穴１７が予め形成されている。プレキャスト床版１０を搭載して位置決めする際に位置決め誤差が避けられないので、前記位置決め穴１６とアンカー穴１７の少なくとも一方は、アンカー部材１２よりも大径に形成する必要があるが、本実施例の場合、位置決め穴１６とアンカー穴１７の両方ともアンカー部材１２よりも大径に形成されている。
【００３５】
図３，図４に示すように、プレキャスト床版１０は、１対の脚壁構造６の上に搭載され、各嵌合部１３にそれに対応する方の脚壁構造６の上端部を嵌合させることで、道路幅方向の位置が位置決めされ、位置決め穴１６とアンカー穴１７とに鋼製丸棒からなるアンカー部材１２を挿入して、位置決め穴１６とアンカー穴１７とにグラウト１８（セメントミルク）を注入し固化させることで、アンカー部材１２と固化したグラウト１８を介してプレキャスト床版１０が脚壁構造６対して正確に位置決めされ固着される。但し、脚壁構造６の上端とプレキャスト床版１０との間の隙間から前記のグラウト１８が漏出しないように、嵌合部１４の全長に亙って脚壁構造６の上端角部にシール部材１９が挟着される。
【００３６】
このシール部材１９は例えばウレタン樹脂などの合成樹脂発泡材からなる。前記注入されたグラウト１８は嵌合部１３における脚壁構造６とプレキャスト床版１０の間の隙間にも侵入するため、そこに侵入して固化したグラウト１８によっても、プレキャスト床版１０が脚壁構造６に固着される。尚、アンカー部材１２の表面にグラウト１８との密着力を強めるための多数の凹凸を形成することが望ましい。
【００３７】
図５に示すように、道路軸方向に隣接するプレキャスト床版１０同士が結合される結合端部２０には、上下方向への相対移動に対して剪断キーとして機能する台形状の嵌合部２１と被嵌合部２２が形成されている。即ち、プレキャスト床版１０の道路軸方向一端には嵌合部２１が形成され、他端には被嵌合部２２が形成されている。尚、プレキャスト床版１０はほぼ同一の成形型を用いて成形されるものであるので、嵌合部２１と被嵌合部２２を精度よく形成しておけば、複数のプレキャスト床版１０を架設した状態において、前記の当接部２０に段差が発生しない。
【００３８】
次に、道路軸方向に連続的に並ぶ複数のプレキャスト床版１０を連結する連結手段１１は、本実施例の場合、複数のＰＣ鋼線１５で構成される。図２〜図５に示すように、道路軸方向に連続する４枚のプレキャスト床版１０を各グループとして、各グループのプレキャスト床版１０が、前記４列の厚肉部１４の４本のパイプ１５ａに挿入された４本のＰＣ鋼線１５でプレストレス状態に連結される。但し、各グループの両端のプレキャスト床版１０は、隣接するグループの端部のプレキャスト床版１０となる。各グループの道路軸方向端部に位置するプレキャスト床版１０における厚肉部１４は長さ方向中央部を除去した短尺厚肉部１４Ａに形成され、ＰＣ鋼線１５の端部が端部金具２３により短尺厚肉部１４Ａに係止される。
【００３９】
このように、複数枚ずつのプレキャスト床版１０を４本のＰＣ鋼線１５で連結するので、プレキャスト床版１０を強固に連結でき、道路床版構造８の強度を高めることができるだけでなく、連結に必要な部品数を少なくし、構造を簡単化することができる。
尚、各グループのプレキャスト床版１０の数は前記に限定されるものではなく、３でもよく５以上の数でもよい。 また、各アプローチ部構造３の全部のプレキャスト床版１０を１グループとし、それら全部のプレキャスト床版１０に亙って連続する４本のＰＣ鋼線１５を用いて連結してもよい。尚、プレキャスト床版１０を工場において成形する際に、通常の厚肉部１４を有するプレキャスト床版１０を成形する成形型に、型部品を追加することで、短尺厚肉部１４Ａを有するプレキャスト床版１０を成形することができる。
【００４０】
次に、プレキャスト壁高欄９について説明する。
プレキャスト壁高欄９は、鉄筋コンクリート製のもので、工場において、適当な長さ（例えば、９ｍ）の分割ブロックとして製作され、現地に搬送して道路床版構造８の道路幅方向両端部に搭載されて固定される。分割ブロック同士の連結部はそれぞれ凹凸状の嵌合部により連結され、下端部はプレキャスト床版１０にボルト連結される。
【００４１】
次に、以上のような構造の立体交差陸橋のアプローチ部構造を架設する工法について簡単に説明する。第１の工程において、工場において横断橋２の橋桁４、橋脚５、脚壁構造６の複数の分割脚壁、複数のプレキャスト床版１０、プレキャスト壁高欄９の複数の分割ブロックなどを製作する。次に、第１工程と並行的に第２の工程において、現地において横断橋２の橋脚５の基礎構造と、各脚壁構造６のための２列の基礎構造７とを構築する。
【００４２】
第３の工程において、現地において横断橋２を架設し、これと並行的に、横断橋２の両側の２列の脚壁構造６を架設する。第４の工程において、これら２列の脚壁構造６の上端に複数のプレキャスト床版１０を順次搭載し、アンカー部材１２を介して位置決めする。  次に、第５の工程において、道路軸方向に並ぶ複数グループのプレキャスト床版１０をＰＣ鋼線１５により連結する。次に、第６の工程においてプレキャスト壁高欄９の架設を行う。
【００４３】
次に、以上説明した立体交差陸橋のアプローチ部構造３の作用、効果について説明する。道路床版構造８を支持する構造として鉄筋コンクリート製の１対の脚壁構造６を採用するため、基礎構造７を簡単化することでき、基礎構造７の為の工期を短縮し、工事費も低減できる。特に、１対の脚壁構造６を工場においてプレキャスト方式で分割脚壁に製作する場合には、１対の脚壁構造６を架設する工期を一層短縮できる。
【００４４】
道路床版構造８を工場において製作可能な複数のプレキャスト床版１０で構成し、それら複数のプレキャスト床版１０を、１対の脚壁構造６の上に搭載し、アンカー部材１２により脚壁構造６の上端部に位置決めして連結し、道路軸方向に並ぶ複数のプレキャスト床版１０を連結手段１１により連結できるので、道路床版構造８を架設する工期も著しく短縮し、急速に架設することができ、工事費も低減できる。アプローチ部構造３の架設のために交通渋滞を招くことなく、能率的に経済的にアプローチ部構造３を架設することができる。
【００４５】
道路軸方向に隣接するプレキャスト床版１０同士が結合される結合端部には、剪断キーとして機能する嵌合部２１と被嵌合部２２を設けたので、嵌合部２１と被嵌合部２２との嵌合を介して、道路軸方向に隣接するプレキャスト床版１０の境界部に段差が生じるのを防止でき、複数のプレキャスト床版１０の一体性を高めることができる。
【００４６】
前記プレキャスト床版１０の下面側部位には、脚壁構造６の上端部が嵌合する凹溝状の嵌合部１３が形成されたので、プレキャスト床版１０の下面側部位の嵌合部１３に脚壁構造６の上端部を嵌合させることで、脚壁構造６に対してプレキャスト床版１０を位置規制することができ、地震発生時などにおける信頼性を高めることができる。
【００４７】
前記連結手段１１は、道路軸方向に連続的に並ぶ複数のプレキャスト床版１０を連結する複数のＰＣ鋼線１５で構成するため、道路軸方向に連続的に並ぶ複数のプレキャスト床版１０を強固に連結することができ、複数のプレキャスト床版１０の一体性を高めることができる。
【００４８】
以上説明した実施形態を部分的に変更する例について説明する。
１）図６に示すように、脚壁構造６の上端部に前記アンカー穴１７の代わりに、脚壁構造６の内部の鉄筋に溶接されたスリーブ状のアンカーナット部材３０を予め設け、プレキャスト床版１０の位置決め穴１６から挿入したアンカー部材としてのボルト３１をアンカーナット部材３０に螺合し、ボルト３１の頭部は十分大きな座金板３２を介して受け止めるような構造にする。この構造では、脚壁構造６とプレキャスト床版１０との連結強度を高め、地震発生時における信頼性を一層高めることができる。
尚、シール部材１９が前記実施例と同様に装着され、嵌合部１３における脚壁構造６とプレキャスト床版１０の間の隙間と位置決め穴１６には、前記実施例と同様にグラウト１８が充填される。
【００４９】
２）図７に示すように、全部のプレキャスト床版１０を、短尺厚肉部１４Ａを有するプレキャスト床版１０Ａで構成し、ＰＣ鋼線１５からなる連結手段１１に代えて、複数のボルト３３とナットで短尺厚肉部１４Ａを連結するように構成した連結手段１１Ａを採用することもできる。この場合、連結手段１１Ａの構成が簡単化し、連結作業も簡単になる。
【００５０】
３）前記実施例は、横断橋の両側にアプローチ部構造を備えた立体交差陸橋に本発明を適用した場合を例にして説明したが、アプローチ部構造の数は２つに限らず、１つの場合もあり、３つ以上の場合もある。横断橋の構造も、前記実施例のものに限るものではなく、種々の構造の横断橋を採用可能である。
【００５１】
４）本発明は、前記実施例に限定されるものではなく、当業者であれば、本発明の趣旨を逸脱しない範囲で種々の変更を付加した形態で実施可能であり、本発明はそのようなものも包含するものである。
【産業上の利用可能性】
【００５２】
立体交差陸橋のアプローチ部構造を架設する工期を短縮でき、工事費を低減できる。
【図面の簡単な説明】
【００５３】
【図１】本発明の実施例に係る立体交差陸橋の側面図である。
【図２】道路床版構造の要部の平面図である。
【図３】道路床版構造の断面図である。
【図４】プレキャスト床版と脚壁構造の連結部を拡大した断面図である。
【図５】道路床版構造の要部の側面図である。
【図６】変更例に係る図４相当図である。
【図７】変更例に係る図５相当図である。
【符号の説明】
【００５４】
１          立体交差陸橋
３          アプローチ部構造
６          脚壁構造
８          道路床版構造
１０，１０Ａ        プレキャスト床版
１１，１１Ａ        連結手段
１２        アンカー部材
１５        ＰＣ鋼線
２０        当接部
２１        嵌合部
２２        被嵌合部
３０        アンカーナット部材
３１        ボルト
【図１】
2006009348.tif 000003
【図２】
2006009348.tif 000004
【図３】
2006009348.tif 000005
【図４】
2006009348.tif 000006
【図５】
2006009348.tif 000007
【図６】
2006009348.tif 000008
【図７】
2006009348.tif 000009